(57)【要約】【課題】全く異なる形態に変化して十分な面白みを使用者に与えることができる包装用箱を提供する。【解決手段】包装用箱では、蓋体５の上面に形成された組み立て式模型の展開部品１３、１５、１７を切り取って組み立てれば全く異なる形態の電車の組み立て模型に変化するので、十分な面白みを使用者に与えることができる。また、箱本体に被せられる蓋体５の上面に展開部品１３、１５、１７を形成することで、包装用箱そのもののデザインの一部として機能することになる。【選択図】        図１
0003196268.tif 000002
【実用新案登録請求の範囲】
【請求項１】
厚紙製の包装用箱において、前記包装用箱に所定部位を折り曲げて組み立てる組み立て式模型の展開部品を形成したことを特徴とする包装用箱。
【請求項２】
請求項１に記載した包装用箱において、上面に開口を有する箱本体と、前記箱本体に被せられて前記開口を閉鎖する蓋体とを有し、前記蓋体の上面に展開部品が形成されていることを特徴とする包装用箱。
【考案の詳細な説明】
【技術分野】
【０００１】
本考案は包装用箱に係り、特に厚紙製の包装用箱に関するものである。
【背景技術】
【０００２】
種々の商品の包装には厚紙製の包装用箱が用いられており、この包装用箱は商品を取り出した後は廃棄するしかないというのが実情である。そこで、特許文献１に示された地図模型兼天体模型組立シートが考案されている。この地図模型兼天体模型組立シートは、６面を組み立てて箱とする印刷シートであって、その表面には昼間において地図が可視状態に表記されている地球の地図模型面が印刷され、また地球の地図模型面と同一面上には、夜間に星空が現出する夜光塗料で表記された天体模型面が印刷されている。
この地図模型兼天体模型組立シートは組み立てれば商品の包装箱として使用でき、展示中のみならず内容物を取り出した後でも昼間は地球の地図模型として、また夜間は天体模型として世界や星空の知識を得ることができる。
【先行技術文献】
【特許文献】
【０００３】
【特許文献１】特開２０１１−２８０２５
【考案の概要】
【考案が解決しようとする課題】
【０００４】
しかしながら、上記従来の地図模型兼天体模型組立シートを組み立てて成る包装用箱は、その形態そのものは普通の箱状で面白みに欠けるという問題がある。
本考案は上記従来の問題点に着目して為されたものであり、全く異なる形態に変化して十分な面白みを使用者に与えることができる包装用箱の提供を、その目的とする。
【課題を解決するための手段】
【０００５】
本考案は上記課題を解決するためになされたものであり、請求項１の発明は、厚紙製の包装用箱において、前記包装用箱に所定部位を折り曲げて組み立てる組み立て式模型の展開部品を形成したことを特徴とする包装用箱である。
【０００６】
請求項２の発明は、請求項１に記載した包装用箱において、上面に開口を有する箱本体と、前記箱本体に被せられて前記開口を閉鎖する蓋体とを有し、前記蓋体の上面に展開部品が形成されていることを特徴とする包装用箱である。
【考案の効果】
【０００７】
本考案の包装用箱によれば、組み立て式模型の展開部品を切り取って組み立てれば、全く異なる形態に変化して十分な面白みを使用者に与えることができる。
また、箱本体に被せられる蓋体の上面に展開部品を形成することで、展開部品が包装用箱そのもののデザインの一部として機能することになる。
【図面の簡単な説明】
【０００８】
【図１】本考案の実施の形態に係る包装用箱の箱本体と蓋体とを分離した状態の斜視図である。
【図２】図１の包装用箱の蓋体から展開部品を切り取る様子を示す斜視図である。
【図３】図１の包装用箱の蓋体から切り取った展開部品を組み立てる様子を示す斜視図である。
【図４】図３の展開部品を組み立てて製作した模型構成体の斜視図である。
【図５】図１の包装用箱の蓋体から切り取った展開部品を組み立てる様子を示す斜視図である。
【図６】図５の展開部品を組み立てて製作した模型構成体の斜視図である。
【図７】図１の包装用箱の蓋体から切り取った展開部品を組み立てる様子を示す斜視図である。
【図８】図７の展開部品を組み立てて製作した模型構成体の斜視図である。
【図９】図４、図６、図８に示した模型構成体を連結した模型の断面図である。
【図１０】図９に示した模型が縮むように畳んだ状態の断面図である。
【考案を実施するための形態】
【０００９】
本考案の実施の形態に係る包装用箱１を図面にしたがって説明する。
包装用箱１は厚紙製であり、箱本体３と蓋体５から構成されている。包装用箱１は土産物などの菓子Ｋが収容される。
箱本体３は上面に開口７を有する浅い箱状である。また、蓋体５は下面に開口９を有する浅い箱状であり、箱本体３に上方から被せることで箱本体３が嵌り込み上面開口７を覆うようになっている。
【００１０】
蓋体５の上面には後述する電車の組み立て式模型１１の展開部品１３、１５、１７が形成されており、展開部品１３、１５、１７には電車の車両のデザインが施されている。展開部品１３、１５、１７は折り曲げ部となる所定箇所は押圧加工が施されて薄肉となっている。
図２に示すように展開部品１３をその外形線に沿って切り取り、図３に示すように折り曲げ部を内側へ折り曲げる。そして、図４に示すように模型構成体２１を製作する。この模型構成体２１は電車の組み立て式模型１１の先頭車両となる。
【００１１】
展開部品１３と同様にして展開部品１５を切り取り、図５に示すように折り曲げ部を内側へ折り曲げる。そして、図６に示すように模型構成体２３を製作する。この模型構成体２３は電車の組み立て式模型１１の二両目の車両となる。
更に、展開部品１３と同様にして展開部品１７を切り取り、図７に示すように折り曲げ部を内側へ折り曲げる。そして、図８に示すように模型構成体２５を製作する。この模型構成体２５は電車の組み立て式模型１１の最後尾の車両となる。
【００１２】
そして、図９に示すように模型構成体２１の後端部開口に模型構成体２３をはめ込み、模型構成体２３の後端部開口に模型構成体２５をはめ込んで、電車の模型１１を完成する。
模型構成体２１の後端部下側の折り曲げ片２１ｂと模型構成体２３の前端部下側の折り曲げ片２３ａとが係合し、更に模型構成体２３の後端部下側の折り曲げ片２３ｂと模型構成体２５の前端部下側の折り曲げ片２５ａとが係合する。これにより、模型構成体２３が模型構成体２１に対し抜け止めされ、模型構成体２５が模型構成体２３に対して抜け止めされる。
また、組み立て式模型１１は模型構成体２１、２３、２５が入れ子式に連結されているので、図１０に示すように縮むように畳むことができる。
【００１３】
このように包装用箱１では、組み立て式模型の展開部品１３、１５、１７を切り取って組み立てれば全く異なる形態の電車の組み立て模型１１に変化するので、十分な面白みを使用者に与えることができる。
また、箱本体３に被せられる蓋体５の上面に展開部品１３、１５、１７を形成することで、包装用箱１そのもののデザインの一部として機能することになる。従って、土産物の包装用に用いる場合など、土産物の販売地と関連のある建物等の組み立て模型の展開部品を形成することで購買意欲を喚起することになる。
【００１４】
以上、本考案の実施の形態について詳述してきたが、具体的構成は、この実施の形態に限られるものではなく、本考案の要旨を逸脱しない範囲における設計の変更などがあっても考案に含まれる。
例えば、上記実施の形態では展開部品を蓋体の上面に形成したが、箱本体の底面等に形成してもよい。また、電車の組み立て模型に限定されず、自動車等その他の物の組み立て模型でもよいのは勿論である。
【産業上の利用可能性】
【００１５】
本考案は包装用箱の製造販売業に産業上の利用可能性を有する。
【符号の説明】
【００１６】
１…包装用箱        ３…箱本体        ５…蓋体
７…箱本体の上面開口        ９…蓋体の下面開口
１１…電車の組み立て模型      １３、１５、１７…展開部品
２１、２３、２５…模型構成体
２１ｂ…模型構成体２１の後端部下側の折り曲げ片
２３ａ…模型構成体２３の前端部下側の折り曲げ片
２３ｂ…更に模型構成体２３の後端部下側の折り曲げ片
２５ａ…模型構成体２５の前端部下側の折り曲げ片
K…菓子
【図１】
0003196268.tif 000003
【図２】
0003196268.tif 000004
【図３】
0003196268.tif 000005
【図４】
0003196268.tif 000006
【図５】
0003196268.tif 000007
【図６】
0003196268.tif 000008
【図７】
0003196268.tif 000009
【図８】
0003196268.tif 000010
【図９】
0003196268.tif 000011
【図１０】
0003196268.tif 000012